(57)【要約】【課題】  換気扇施工時に容易に換気扇の風量を調節でき施工性の良い換気扇を得る。【解決手段】  換気扇本体１００はボディ２の開口側に化粧グリル１２を備え、化粧グリル１２に備えたスプリング１３で換気扇本体１００に固定する。化粧グリル１２の背面にリブ１５を備え、換気扇本体にはリブ１５が嵌る複数のスリット２ｄを設ける。化粧グリル１２の取り付け方向を変更することで、化粧グリル１２のリブ１５と換気扇本体１００スリット２ｄの組み合わせにより化粧グリル１２と換気扇本体１００の間隔を選択できるように構成した。【選択図】  図６
2019078510.tif 000002
【特許請求の範囲】
【請求項１】
一面が開口した箱状の換気扇本体と、
前記換気扇本体に空気の給気口及び排気口を形成し、
前記換気扇本体の内部に備え前記給気口及び前記排気口の空気流を形成する送風機と、
前記開口に着脱可能に備え前記送風機を覆い意匠面を形成する化粧グリルと、
前記化粧グリルの裏面に設け前記化粧グリルを取り付けるスプリングと、
前記スプリングの近傍に設けたリブと、
前記換気扇本体に備え前記リブが嵌まり込む複数のスリットとを備え、
前記化粧グリルの取り付け方向を変更することで、前記リブと前記スリットの組み合わせにより前記化粧グリルと前記換気扇本体の間隔を選択することを特徴とする換気扇。
【請求項２】
前記スプリングの左右２箇所に前記リブを備え、前記換気扇本体の前記リブに相当する位置に前記スリットを備えたことを特徴とする請求項１記載の換気扇。
【請求項３】
前記スプリングを前記化粧グリルの左右に２つ備え、
前記スプリングの両側に前記リブを左右非対称に備えたことを特徴とする請求項１、２記載の換気扇。
【請求項４】
前記化粧グリルは２通りの取り付け方向があり前記換気扇本体と前記化粧グリルの間隔を２段階から選択できるようにしたことを特徴とする請求項１〜３記載の換気扇。
【発明の詳細な説明】
【技術分野】
【０００１】
本発明は、外気を室内に給気する、あるいは室内空気を室外に排気する換気扇に関するものである。
【背景技術】
【０００２】
天井据付あるいは壁据付の換気扇は、部屋の広さや居住する人の人数などにより、適切な換気風量を必要としている。また近年、住宅内の建材から発生するＶＯＣ等の問題が顕在化し、２４時間常時換気をするなど各部屋毎適切な換気風量が必要となっている。このため各種市場要望に応じ風量設定の異なった換気扇の需要があるものの、様々な風量帯の機種が必要となるなど問題もあった。このような中、換気扇の施工時に別部品の風量調節板を用い換気扇の吸込み口あるいは吹き出し口に取り付けて開口面積を調節して換気扇の風量を任意に調節するものがある。（例えば特許文献１）
【０００３】
【特許文献１】特開２０１０−１９６９２１号公報
【発明の概要】
【発明が解決しようとする課題】
【０００４】
上記のような換気扇では使用される場所に応じて、任意に換気風量を調節できることは、使用者にとってメリットであるが、一方、風量調節に風量調節板が必要となり部品手配の手間や部品取り付けの作業が発生するなど施工性が悪化するといった問題があった。また施工時に、作業者が風量調節板の目的を理解しておらず付け忘れるといった不具合や、付け忘れた場合は再度換気扇のグリルを外して取り付ける必要があるなど問題があった。
【０００５】
本発明は、係る従来の問題点を解決するためになされたものであって、容易にかつ確実に固定でき風量調節ができる換気扇を得ることである。
【課題を解決するための手段】
【０００６】
上記課題を解決するために本発明は、換気扇の開口を塞ぎ意匠面となる化粧グリルの裏面に化粧グリルを取り付けるスプリングを設け、このスプリングの近傍にリブを備える。また換気扇本体側には化粧グリルに設けたリブが嵌まり込む複数のスリットを備え、このリブとスリットの組み合わせで化粧グリルの取り付け方向を任意に選択して取り付けられるようにしたものである。
【発明の効果】
【０００７】
本発明によれば、風量調節板のような別部品を取り付ける必要がなく、従来と同じ取り付け工事でありながら、化粧グリルの取り付け方向を変更するだけで、容易に換気風量の調節が可能な換気扇が得られる。
【図面の簡単な説明】
【０００８】
【図１】本発明の実施の形態１に係るダクト用換気扇の概略構成を示す断面図。
【図２】図１の換気扇本体の化粧グリルを省いた正面図。
【図３】図２正面図で端子カバーを開いた状態の正面図。
【図４】化粧グリルの背面側から見た背面斜視図。
【図５】化粧グリルの取り付け方を示す取付説明図。
【図６】風路面積が狭い場合の化粧グリル取付け側面図。
【図７】風路面積が広い場合の化粧グリル取付け側面図。
【発明を実施するための形態】
【０００９】
図１〜図７は、本発明の実施の形態１に係るダクト用換気扇を説明するものであって、図１は取付け状態の概略構成を示した断面図、図２は換気扇本体の化粧グリルを省いた正面図、図３は図２の正面図で端子カバーを開いた状態の正面図、図４は換気扇化粧グリル背面図、図５は化粧グリルの取付け方を表した取付図、図６は風路面積を狭くした化粧グリルの取付け側面図、図７は風路面積が広い場合の化粧グリルの取付け側面図である。
【００１０】
図１において、ダクト用換気扇１００は換気扇本体を構成するボディ２と、ボディ２に取り付けたダクト接続部８を有する。ダクト接続部８はダクト１４に接続し、ダクト１４は室外側まで連通され、室内の空気を換気するダクト用換気扇１００である。
【００１１】
（ダクト用換気扇）
本発明のダクト用換気扇について説明する。
ボディ２は、一面を開口した箱型で、箱開口とは逆の面（天面側）に、換気する空気を流通させる換気駆動体である多翼式送風機１と、この多翼式送風機１を収納するファンケーシング５を有している。ファンケーシング５は、下面が開放されて吸込口６が形成されている。多翼式送風機１は、モーター３と、このモーター３の駆動軸に差込結合されたファン４とから構成されている。
【００１２】
（換気扇内部の説明）
図２、図３に示すようにファンケーシング５には容易に開閉可能な端子カバー１１が備え付けられている。また、カバー１１内には外部電源電線を接続可能な電線接続装置２０を備えている。電線接続装置２０とモーター３は器内電線により電気的に接続されている。外部電源電線（図示しない）より印加された電気が電線接続装置２０を介し器内電線からモーター３に流れることで電気エネルギーをモーター３の回転運動に変換する。モータの回転運動は駆動軸に連結したファン４に伝えることでファン４が回転し空気の流れを形成する。ファンケーシング５により、吸込口６より吸われた空気は、多翼式送風機１によってファンケーシング５の内壁に沿って排気口２ｂに至る排気風路を形成している。
【００１３】
（ダクト接続部）
換気扇１００はボディ２とボディ２の側部に設けられボディ２の側面から直角方向に延び吐出口１０をダクト１４に連通する位置まで延長するダクト接続部８を有する。ダクト接続部８のダクトが接続される部分は、径の異なる段状に形成している。これは、配管するダクトの径が異なっても対応できることやテーピングなどの作業性を考慮し段状にしている。ダクト１４は、屋外まで延びており建物の屋外外壁に備えたフードなどと連結し、住宅内の空気を換気する換気風路を形成している。
【００１４】
（シャッター）
ダクト接続部８内には、風圧にて開閉するシャッター９が設けられている。シャッター９は換気扇１００の運転時には風圧で開き、停止時はシャッター９の自重でダクト接続部８の内部を閉鎖する。このようにシャッター９を設けることで、換気扇１００の停止時に屋外からの外風が室内に侵入するのを防止することができる。本説明では風圧で開閉するシャッター９について説明したが、電気式で駆動するものも使用される場合がある。
【００１５】
（化粧グリル）
換気扇１００はファンケーシング５などの内部部品が見えると見栄えが悪いため内部部品を見えないようにする意匠部品である化粧グリル１２を備える。図４に示すように化粧グリル１２は換気扇本体への取付用のスプリング１３を２本備えている。図５のようにスプリング１３をファンケーシング５に備えられている化粧グリル取付用スプリング固定部７に引掛けることにより固定する。化粧グリル１２はスプリング１３で取り付けられることで、天井面の厚さが多少変動しても容易に対応可能で、天井面との隙間などが生じないようしている。化粧グリル１２はダクト用換気扇１００の意匠性の向上の他にも多翼式送風機１への異物混入の防止の効果もある。
【００１６】
化粧グリル１２は化粧面となる表面がフラットな形状で天井面のインテリア性を損なわないようにしている。図４に示すように化粧グリルの背面には室内からの空気流を吸込み開口面積の維持とスプリング１３の引張による経年的な変形を抑制するためのリブ１５を備えている。リブ１５はスプリング１３の両側の近傍にそれぞれ１５ａと１５ｂを形成している。このリブ１５ａと１５ｂがボディフランジ２ｃに当接するように固定される。スプリング１３は、化粧グリル１２の左右対象２か所に設けられており、方向性のないフラット形状なデザインより、取付方向を１８０°反転させても、意匠性を損なうことなく、換気扇１００への取付けが可能となる。
【００１７】
化粧グリル裏のリブ１５ａと１５ｂは、２か所のスプリング取付箇所１６を結ぶ線からの距離がそれぞれ非対称の位置になるよう設けられている。リブ１５ａとリブ１５ｂはそれぞれスプリング１３を中心としてその両側に２か所設けられ、リブ１５ａはリブ１５ｂよりも間隔を広く配置している。一方、ボディフランジ２ｃにも左右非対称な位置にスリット２ｄが設けられており、化粧グリル１２裏のリブ１５ａ、１５ｂは一方の化粧グリルの取付け方向では、ボディフランジ２ｃに設けられたスリット２ｄに入り込み当接する。化粧グリルを１８０°反転させて取付けた場合は、化粧グリル裏のリブ１５ａ、１５ｂはボディフランジ２ｃの平面部と当接する。これにより化粧グリル１２とボディフランジ２ｃ間を通る空気流の風路面積を容易に変更することが可能となっている。従って化粧グリル裏のリブ１５がボディフランジのスリット２ｄに入りこむ化粧グリルの取付方向よりも、化粧グリル裏側のリブ１５がボディフランジ２ｃの平面部と当接した化粧グリル１２の取付方向の方が換気風量を大きくすることができる。
【００１８】
本発明では、風量調節板のような部品の必要がなく、従来の換気扇の施工と同じ化粧グリル１２の取付け作業のみで、容易に風量調節が可能となっている。
【００１９】
上記説明では、換気扇について説明したが、その他の送風機や空気調和機、およびそれらに組み合わせて使用されるシステム部材の化粧グリルを備えた製品に適している。
【符号の説明】
【００２０】
１  多翼式送風機、２  ボディ、２ｂ  排気口、２ｃ  ボディフランジ、
２ｄ  ボディフランジのスリット、モータ、４  ファン、
５  ファンケーシング、６  吸込口、７  スプリング固定部、８  ダクト接続部、
９  シャッター、１０  吐出口、１１  端子カバー、１２  化粧グリル、
１３  スプリング、１４  ダクト、１５  化粧グリル裏のリブ（４箇所)、
１５ａ  化粧グリル裏のリブ（間隔の広い2箇所）、
１５ｂ  化粧グリル裏のリブ（間隔の狭い2箇所）、
１６  スプリング取付箇所、２０  電線接続装置、１００  換気扇
【図１】
2019078510.tif 000003
【図２】
2019078510.tif 000004
【図３】
2019078510.tif 000005
【図４】
2019078510.tif 000006
【図５】
2019078510.tif 000007
【図６】
2019078510.tif 000008
【図７】
2019078510.tif 000009